(57)【要約】      （修正有）【課題】仕切り部材を確実かつ調節しやすくした抽斗を提供する。【解決手段】左右の抽斗枠４を備え、抽斗を仕切るため少なくとも１つの仕切り部材９が、当該抽斗枠の間に延びる次のような３に関する。当該抽斗枠の場合、仕切り部材９の少なくとも一方の末端に、結合具１０が取り付け可能であり、あるいは形成されている。また抽斗枠４の内面に保持装置１１が抽斗縦方向に延び、当該保持装置のさまざまに異なる箇所に、結合具１０を結合解除可能な状態で結合することができる。そしてまた当該保持装置１１は、抽斗縦方向に延びる溝１１ａを持ち、当該溝に結合具１０をラッチ解除可能な状態でラッチ固定できる。この抽斗においては、結合具１０が、―少なくとも１つの別部品のバネ１７の作用を受ける―可動型の、好ましくはスライド可能に取り付けられた、ラッチ部材１６を備え、これにより結合具１０を溝１１ａに固定可能である。【選択図】図１
0003143118.tif 000002
【実用新案登録請求の範囲】
【請求項１】
左右の抽斗枠を備え、抽斗を仕切るため少なくとも１つの仕切り部材が、当該抽斗枠の間に延びる抽斗であって、当該抽斗枠の場合、仕切り部材の少なくとも一方の端部に、結合具が取り付け可能であり、あるいは結合具が形成されており、また当該抽斗枠の場合、抽斗枠の内面に保持装置が抽斗縦方向に延び、当該保持装置のさまざまに異なる箇所に、結合具を結合解除可能な状態で結合することができ、そしてまた当該保持装置は、抽斗縦方向に延びる溝を持ち、当該溝に結合具をラッチ解除可能な状態でラッチ固定できる、上記の抽斗であって、結合具（１０）が、―少なくとも１つの別部品のバネ（１７）の作用を受ける―可動型の、好ましくはスライド可能に取り付けられた、ラッチ部材（１６）を備え、このことにより結合具（１０）を溝（１１ａ）に固定可能であることを特徴とする抽斗。
【請求項２】
前記の溝（１１ａ）がアンダーカットされた形状であることを特徴とする、請求項１に記載の抽斗。
【請求項３】
前記の溝（１１ａ）の断面がほぼダブテール形であることを特徴とする、請求項１または２に記載の抽斗。
【請求項４】
前記の保持装置（１１）が少なくとも１本の案内形材（１２）を備え、当該案内形材は抽斗枠（４）と、結合解除可能な状態で結合でき、好ましくはラッチ固定できることを特徴とする、請求項１〜３のいずれかに記載の抽斗。
【請求項５】
前記の案内形材（１２）の長さが、抽斗枠（４）の長さにほぼ相当することを特徴とする、請求項４に記載の抽斗。
【請求項６】
前記の案内形材（１２）を、抽斗枠（４）の上面に、好ましくは上面全体に取り付けできることを特徴とする、請求項４または５に記載の抽斗。
【請求項７】
前記の保持装置（１１）が抽斗枠（４）と一体型に形成されていることを特徴とする、請求項４または５に記載の抽斗。
【請求項８】
前記の仕切り部材（９）が仕切り板（９ａ）を備えることを特徴とする、請求項１〜７のいずれかに記載の抽斗。
【請求項９】
前記の仕切り部材（９）がロッドを備えることを特徴とする、請求項１〜８のいずれかに記載の抽斗。
【請求項１０】
前記の結合具（１０）を仕切り部材（９）の末端面に取り付けできることを特徴とする、請求項１〜９のいずれかに記載の抽斗。
【請求項１１】
前記の結合具（１０）が仕切り部材（９）と一体型に形成されていることを特徴とする、請求項１〜９のいずれかに記載の抽斗。
【請求項１２】
前記の少なくとも１つのラッチ部材（１６）が、溝長手方向を横切る方向に、好ましくは法線方向に、ラッチ固定できることを特徴とする、請求項１〜１１のいずれかに記載の抽斗。
【請求項１３】
前記の結合具（１０）が突起（１５）好ましくはピンを備え、当該突起またはピンを、溝（１１ａ）の対応する開口（１３ａ）に挿入できることを特徴とする、請求項１〜１２のいずれかに記載の抽斗。
【請求項１４】
前記の開口（１３ａ）が穴の列（１３）として形成され、当該穴の列は、溝（１１ａ）の軸方向に延び、好ましくは溝の上側アームにおいて当該軸方向に延びることを特徴とする、請求項１３に記載の抽斗。
【請求項１５】
前記の結合具（１０）を、クランプ機構によって、保持装置（１１）の溝（１１ａ）とクランプ結合により結合できることを特徴とする、請求項１〜１４のいずれかに記載の抽斗。
【請求項１６】
前記のクランプ機構がクランピングレバー（２１）を備え、タイロッド（２２）を介する当該クランピングレバーにより、結合具（１０）がクランプ部（２３）介して、案内形材（１２）の溝（１１ａ）と、クランピング結合できることを特徴とする、請求項１５に記載の抽斗。
【請求項１７】
前記のクランピングレバー（２１）が、結合部（１０）の上面に、旋回可能な状態で取り付けられていることを特徴とする、請求項１６に記載の抽斗。
【請求項１８】
前記の抽斗枠（４）が二重壁の中空枠であることを特徴とする、請求項１〜１７のいずれかに記載の抽斗。
【請求項１９】
前記の抽斗（３）が少なくとも１つのアタッチメント枠（５）を持ち、当該アタッチメント枠の少なくとも一部分が、抽斗枠（４）の上部に配置されていることを特徴とする、請求項１〜１８のいずれかに記載の抽斗。
【請求項２０】
左右の抽斗枠を持ち、抽斗を仕切るため少なくとも１枚の仕切り板が、当該抽斗枠の間に延びる抽斗であって、当該抽斗の場合、抽斗枠の内面では保持装置が抽斗縦方向に延び、結合具が当該保持装置のさまざまに異なる箇所に、結合解除可能な状態で結合することができ、また当該保持装置を抽斗枠と結合解除可能な状態で結合することができる上記の抽斗、とくに請求項１〜１９のいずれかに記載の上記の抽斗であって、保持装置（１１）が抽斗縦方向に延びる溝（１１ａ）を備えることを特徴とする抽斗。
【請求項２１】
前記の保持装置（１１）を抽斗枠（４）の上面に懸架できることを特徴とする、請求項２０に記載の抽斗。
【請求項２２】
前記の保持装置（１１）が金属形材、好ましくは特殊鋼形材であることを特徴とする、請求項２０または２１に記載の抽斗。
【請求項２３】
請求項１〜２２のいずれかに記載の抽斗を備える家具。
【考案の詳細な説明】
【技術分野】
【０００１】
本考案は、左右の抽斗枠を備え、これら抽斗枠の間に、抽斗仕切りのための仕切り部材が少なくとも１つ配置されている、抽斗に関する。この抽斗の場合、仕切り部材の少なくとも一方の端部、結合具を取り付け可能であるか、または結合具が形成されている。そして、抽斗枠の内面には、保持装置が抽斗縦方向に延び、この保持装置を用いて、結合具をさまざまに異なる箇所に、結合解除可能な状態で結合することができる。そしてまたこの保持装置は、抽斗縦方向に延びる溝を備え、この溝に結合具をラッチ解除可能な状態でラッチ固定できる。
【０００２】
本考案はそのほか、前記の種類の抽斗を持つ家具に関する。
【背景技術】
【０００３】
抽斗内に仕切られた領域を形成する仕切り部材を備えた抽斗は、従来の技術から公知である。冒頭に挙げた種類の抽斗は、たとえば本出願者によるオーストリア実用新案ＡＴ５８６７Ｕ１から公知である。この場合、抽斗横板とは別部品のストリップ材が、抽斗の前板と背板の間に張り渡され、仕切り板はこのストリップ材にラッチ固定されている。これには、木製の抽斗の場合、仕切り壁取り付けの際、邪魔になる穴や目に見えるネジを設ける必要がないという、特別な利点がある。
【０００４】
仕切り板を持つ抽斗のそのほかの実施形態が、ＤＥ２０１０８３０７Ｕ１、ＵＳ５，２６９，６００Ａ、ＤＥ７８２７３６２Ｕ１、ＤＥ８２２０１８７Ｕ１、ＪＰ２００５‐１３１０６１Ａ、ＥＰ１０８４６６１Ａ１、ＣＨ４７６４７７Ａに記載されている。
【考案の開示】
【考案が解決しようとする課題】
【０００５】
本考案の課題は、冒頭に挙げた種類の抽斗を発展させて、仕切り部材を、確実かつ非常に調節しやすい形で、取り付けられるようにすることである。
【課題を解決するための手段】
【０００６】
本考案は、１つの好ましい実施形態として、結合具が１つの―少なくとも１つの別部品のバネの作用を受ける―可動型の、好ましくはスライド可能に取り付けられたラッチ固定部材を備え、これにより結合具を溝に固定できるようにすることによって、この課題を達成する。
【０００７】
基本的に、抽斗の前板と背板の間にほぼつながる溝によって、仕切り部材を、指定された範囲内であれば任意の箇所でロックすることができる。その際、位置を自由に選択できるだけでなく、仕切り部材がスライドしたり、倒れたりしないよう、確実に取り付けることができる。
【０００８】
本考案の１つの好ましい実施例では、この溝をアンダーカットに形成することを意図する。この場合とくに有利な方法として、ダブテール状の溝を設け、そのような溝によって、仕切り板が溝から引き抜かれることのないよう、特に高い強度を得る。
【０００９】
本考案の考えられる１つの実施形態では、保持装置が少なくとも１本の案内形材を備え、この案内形材が抽斗枠と、結合解除な状態で結合でき、好ましくはラッチ固定できるものとする。その際案内形材の長さは、抽斗枠の長さにほぼ相当する。この場合、取り付けには２つの異なる方法がある。第１のバリエーションでは、案内形材を、抽斗枠の上面に、好ましくはほぼ上面全体に、取り付けできるものとする。もう１つのバリエーションは、保持装置を抽斗枠と一体型に形成することによって得られる。
【００１０】
もう１つの実施例は、仕切り部材が仕切り板を備える場合に意図することができる。この種のフラットな仕切り板は、次のようにして転倒防止する。すなわち結合具に、溝長手方向に延びる支持ブリッジを設け、こうして、仕切り板を角度変化しない状態で固定できるようにする。これに代わる方法または補完する方法として、仕切り部材がロッドまたはバーを備えるものとすることもできる。
【００１１】
結合具の実施形態の場合も、２つの異なるバリエーションが得られる。その１つは、結合具を、仕切り部材と結合解除可能な状態で結合でき、好ましくは仕切り部材の末端面に取り付けできるようにする。もう１つのバリエーションとして、結合具を仕切り部材と一体型に形成することもできる。
【００１２】
１つの合目的な実施形態として、保持装置を、抽斗縦方向に延びる溝により、抽斗と結合解除可能な状態で結合できるようにする。この関連では、保持装置を抽斗枠の上面に懸架できるようにすれば、有利である。これにより、既存の抽斗に、仕切り部材の保持装置を後付けすることができ、必要ならばふたたび簡単に取り外すことができる。強度上、デザイン上の理由から、保持装置が金属製形材―好ましくは特殊鋼製形材―であれば有利であって、この場合、抽斗縦方向に延びる溝がこの金属性形材の一部であるものとする。
【００１３】
本考案のこのほかの詳細と利点を、下記の図面の説明に記載する。
【考案を実施するための最良の形態】
【００１４】
図１はキャビネット状の家具１を示し、この家具は、家具本体２と、この家具本体に対してスライド可能に取り付けられた抽斗３とを含む。一番上の抽斗３は、公知の通り、左右の抽斗枠４、抽斗底板８、背板６、前板または正面板７を備える。抽斗３の有効容積を増加するため、左右両側の抽斗枠４の上に、アタッチメント枠５が設けられている。抽斗を仕切るため、少なくとも１つの仕切り部材９が抽斗３の中に配置され、この仕切り部材は、図示の実施例の場合、四角形に形成された仕切り板９ａである。その際、仕切り板９ａの高さは、抽斗枠４の高さよりも高くするのが好ましい。仕切り板９ａの少なくとも一方の端部領域には、結合具１０が取り付けられ、あるいは形成されている。この結合具は、背板６と前板または正面板７との間の任意の箇所で、後に説明する保持装置により、すなわち抽斗枠４に取り付けられ、あるいは形成されている保持装置によって、ラッチ解除可能な状態でラッチ固定可能である。
【００１５】
図２は、図１に示した抽斗３の透視図であるが、見やすくするため、前板または正面板７を取り外している。左右両側の抽斗枠４は、二重壁の中空フレームとして形成され、この中空フレームは、抽斗３のための一般に用いられる抽斗案内具に、結合解除可能な状態で結合することができる。そのほか、両側の少なくとも一部領域に、抽斗枠４より上に設けられたアタッチメント枠５と、背板６が設けられている。また保持装置１１として溝１１ａが設けられ、この溝は、別部品として抽斗枠４に取り付けることもでき、あるいは抽斗枠と一体型に形成することもできる。溝１１ａは、したがって基本的に抽斗枠４の全長にわたって延びる。これと異なる方法として、断片的な溝を１つまたは複数（たがいに間隔を取って）設けることもできる。仕切り板９ａには結合具１０が設けられ、この結合具は、溝１１ａにそってスライド可能であり、そしてその際溝における希望の位置で、ラッチ解除可能な状態でラッチ固定することができる。したがって仕切り板９ａは抽斗枠４の縦方向にスライドでき、これによりユーザーには、区画を形成する可変的な手段が得られる。有利な方法として、結合具１０を、スライド過程の間つねに溝１１ａと噛み合せたままとする。そうすると、仕切り板９ａを、確実な位置で希望のポジションに動かすことができ、つづいてロック動作によって最終的に固定できる。しかし縦仕切り９ｂを備えた仕切り板９ａは、いつでも完全に取り外しできる。そのほか、仕切り板９ａの下面は、抽斗底板８から間隔を取って配置されていることが認められる。なぜならば、１つの好ましい実施例では、結合具１０と溝１１ａとのロックを、結合具１０の上面を押すことにより、解除可能としているからである。静止状態で抽斗底板８と間隔を取る仕切り板９ａは、したがって抽斗底板８の方向に手動で押すことができる。これにより、結合具１０と溝１１ａとのロックは解除可能であり、仕切り板９ａをスライドさせることができる。仕切り板９ａに手動で圧迫を加えない場合、仕切り板はふたたびその初期位置に戻り、ふたたび自動的にロックされる。
【００１６】
図３ａ〜３ｃは、別個の部品として既存の抽斗枠４に取り付け可能な保持装置１１の一部を示す。図３には１つの案内形材１２を示すが、この案内形材の長さは抽斗枠の長さにほぼ相当する。案内形材１２は、好ましくは特殊鋼製で、その上面１２ａを曲げて、案内形材が上から抽斗枠４に取り付けられ、確動的かつクランプ結合により保持されている。図３ｂはこの案内形材１２の垂直断面図を示すが、ここではアンダーカットされたダブテール形の溝１１ａが認められる。図３ｃは、図３ａの円でかこまれた部分の拡大図である。この図で認められるように、溝の上側アームには、わずかに間隔を取る穴の列１３を備えた開口１３ａがたがいに設けられている。開口１３ａは、中間ブリッジ１４によってたがいに分離されている。この穴の列１３では、結合具１０に属するラッチ固定部を、固定位置を変えながらラッチ固定できる。
【００１７】
図４ａと４ｂは、案内形材１２における仕切り板９ａの取り付けポジションを示す。ここでは結合具１０のピンまたは突起１５が、下から穴の列１３に差し込まれている。穴の列１３は溝の上側アームに設けられるので、開口１３ａは外部からはほとんど見えない。図４ｂは、図４ａの円で囲まれた部分の拡大図を示す。
【００１８】
図５ａは結合具１０の組み立てた状態を示す。結合具は、仕切り板９ａの末端面に取り付けでき、あるいは末端面と一体型に形成されている。結合具１０は基礎体１０ａを含み、上方に突き出すピンまたは突起１５がこの基礎体に設けられ、これらのピンまたは突起を、溝１１ａの穴の列１３（図４ａ）に差し込むことができる。結合具１０はさらに、基礎体１０に対してスライド可能に取り付けられたラッチ部材１６を含む。このラッチ部材は２つのバネ１７の作用を受け、その際、基礎体１０ａの支持アーム１８ａと、ラッチ部材１６の支持アーム１８ｂとが、たがいに離れる方向に押される。支持アーム１８ｂは溝１１ａに懸架され、支持アーム１８ａはスプリング力によって上方に押されるので、突起１５は穴の列１３の中に押される。これにより、溝の長手方向に対して横切る方向に、好ましくは法線方向に、ラッチ固定が行われる。このラッチ固定は、結合具１０ａの上面を手動圧迫すれば、簡単に解除できる。ここで用いられた部品を含む結合具１０の分解図を、図５ｂに示す。
【００１９】
図６は抽斗枠４の垂直断面図を示す。この抽斗枠は、抽斗３に通常用いられる抽斗案内具、すなわち中間レール２０および家具本体側レール１９に対してスライド可能な状態で取り付けられている。抽斗底板８と、抽斗底板に間隔を取る仕切り板９ａとを図に記載する。仕切り板は一部だけを図示する。仕切り板９ａの末端面には、結合具１０が取り付けられている。抽斗枠４の上面には、溝１１ａを備える別部品の案内形材１２を取り付けできるので、この案内形材は抽斗枠に、クランプ結合によって固定することができる。結合具１０の上面を押すと、結合具は支持アーム１８ｂに対して垂直に動くので、突起１５は穴の列１３との噛みあいを解除され、これにより仕切り板９ａは、抽斗枠縦方向にスライドできる。結合具１０に対する手動圧迫をやめると、支持アーム１８ａおよび１８ｂは、ふたたびたがいに離れる方向に押されて、突起１５は、この位置でふたたび穴の列１３の開口１３ａに差し込まれる。
【００２０】
図７ａは、結合具１０と案内形材１２とのラッチ固定状態を示す。スプリング力によって、突起１５は穴の列１３の開口１３ａに押し込まれる。図７ｂは、図７ａの円でかこまれた部分の拡大図を示す。
【００２１】
図８ａは、結合具１０と案内形材１２とのロック解除状態を示す。スプリング力に対抗して、支持アーム１８ａおよび１８ｂを、たがいに近づく方向に押すことができ、これにより突起１５を、穴の列１３の開口１３ａから出すことができる。このことを、図８ｂの拡大図はよく示している。
【００２２】
図９ａと９ｂは、案内形材１２の溝１１ａにおける、結合具１０の上記と異なる固定方法を示す。見やすくするため、抽斗枠４は図示しない。この場合、結合具１０の上面には、旋回可能に取り付けられたクランピングレバー２１が設けられている。このクランピングレバーは、タイロッド２２を介してクランプ部２３を動かすので、クランプ部は案内形材１２の溝の上側アームを押すことができる。これにより結合具１０は溝にクランプしながら保持される。図９ａは、結合具１０の固定ポジションを示す。図９ｂは固定ポジションの拡大図を示す。
【００２３】
図１０ａおよび１０ｂは、それぞれクランプ部２３のクランプ解除ポジションを示す。この場合クランピングレバー２１は旋回していて、これによりタイロッド２２を介して、クランプ部２３を降下させることができる。その結果、クランプ結合による固定が解除される。
【００２４】
図１１は、図９ａ、９ｂおよび図１０ａ、１０ｂに記載のクランプ機構を備える案内形材１２を背面から見た場合の透視図を示す。溝の上側アームに向けられた穴の列１３が良好に認められるが、この穴の列は、クランピングレバー２１を持つ仕様の場合、かならずしも必要ではない。
【００２５】
本考案は、ここに示された実施例だけに限定されるものではなく、添付の請求項の範囲に該当し得るすべてのバリエーションや技術的等価物を含め得る。上記の説明で選択された位置に関する言及、たとえば上、下、左右などの言及も、通常の取り付け位置、または直接説明、図示された図面に関するものであって、位置が変更された場合、本来意味するところに従って新たな位置に転用されるべきである。
【図面の簡単な説明】
【００２６】
【図１】本考案の抽斗を少なくとも１つ備えるキャビネット状の家具の透視図である。
【図２】図１に示したと同じ抽斗であるが、その中に抽斗仕切りのための仕切り板を配置されているものである。
【図３ａ】抽斗枠に取り付け可能な案内部材のさまざまな略図である。
【図３ｂ】抽斗枠に取り付け可能な案内部材のさまざまな略図である。
【図３ｃ】抽斗枠に取り付け可能な案内部材のさまざまな略図である。
【図４ａ】案内部材への取り付けポジションにある結合具の図である。
【図４ｂ】図４ａの細部拡大図である。
【図５ａ】結合具の１つの実施例について、組み立てた状態の図とを示す。
【図５ｂ】図５ｂの分解図とを示す。
【図６】抽斗枠とそれに固定された仕切り板の垂直断面図である。
【図７ａ】案内形材に対する結合具のラッチ固定ポジションの図である。
【図７ｂ】図７ａの細部拡大図である。
【図８ａ】ロック解除ポジションにある結合具の図である。
【図８ｂ】図８ａの細部拡大図である。
【図９ａ】クランプポジションにあるクランピングレバーを備えた、結合具のもう１つの固定方法の図である。
【図９ｂ】図９ａの細部拡大図である。
【図１０ａ】図９ａ、９ｂの実施例であるが、そのロック解除ポジションを示す。
【図１０ｂ】図９ａ、９ｂの実施例であるが、そのロック解除ポジションを示す。
【図１１】クランプ機構の部品としてクランピングレバーを備える案内形材の背後から見た透視図である。
【図１】
0003143118.tif 000003
【図２】
0003143118.tif 000004
【図３ａ】
0003143118.tif 000005
【図３ｂ】
0003143118.tif 000006
【図３ｃ】
0003143118.tif 000007
【図４ａ】
0003143118.tif 000008
【図４ｂ】
0003143118.tif 000009
【図５ａ】
0003143118.tif 000010
【図５ｂ】
0003143118.tif 000011
【図６】
0003143118.tif 000012
【図７ａ】
0003143118.tif 000013
【図７ｂ】
0003143118.tif 000014
【図８ａ】
0003143118.tif 000015
【図８ｂ】
0003143118.tif 000016
【図９ａ】
0003143118.tif 000017
【図９ｂ】
0003143118.tif 000018
【図１０ａ】
0003143118.tif 000019
【図１０ｂ】
0003143118.tif 000020
【図１１】
0003143118.tif 000021